(57)【要約】【課題】  光ディスクのレイヤーの切り換えやエリアを選択する操作を行うことなしに、外部機器のオーディオ信号の出力形態に応じて、光ディスクに記録されたマルチチャンネル又は２チャンネルのオーディオ信号を再生することができる光ディスク再生装置を提供する。【解決手段】  第１記録層又は第２記録層に記録されたオーディオ信号と管理情報を読み取る読取部と、読取部が読み取ったオーディオ信号に信号処理を施す信号処理部と、信号処理部が信号処理を施したオーディオ信号を出力する出力部と、出力部と接続した外部機器から当該外部機器のオーディオ信号の出力形態を示す情報を入力する入力部と、入力部から入力された出力形態を示す情報に応じたオーディオ信号を光デスクから読み取るように読取部を制御する制御部とを備える。【選択図】  図１
2006236422.tif 000002
【特許請求の範囲】
【請求項１】
２チャンネルのオーディオ信号が記録されたステレオエリア及びマルチチャンネルのオーディオ信号が記録されたマルチチャンネルエリアを有する第１記録層と２チャンネルのオーディオ信号が記録された第２記録層を備え、前記第１記録層に記録されたオーディオ信号を管理する管理情報が前記第１記録層に記録され、前記第２記録層に記録されたオーディオ信号を管理する管理情報が前記第２記録層に記録された光ディスクを再生する光ディスク再生装置において、
前記第１記録層又は前記第２記録層に記録されたオーディオ信号と管理情報を読み取る読取部と、
前記読取部が読み取ったオーディオ信号に信号処理を施す信号処理部と、
前記信号処理部が信号処理を施したオーディオ信号を出力する出力部と、
前記出力部と接続した外部機器から当該外部機器のオーディオ信号の出力形態を示す情報を入力する入力部と、
前記入力部から入力された前記出力形態を示す情報に応じたオーディオ信号を光ディスクから読み取るように前記読取部を制御する制御部とを備えることを特徴とする光ディスク再生装置。
【請求項２】
請求項１記載の光ディスク再生装置において、
前記入力部から入力された前記出力形態を示す情報がマルチチャンネルを示す情報である場合、前記制御部は、前記第１記録層のマルチチャンネルエリアからマルチチャンネルのオーディオ信号を読み取るように前記読取部を制御することを特徴とする光ディスク再生装置。
【請求項３】
請求項１記載の光ディスク再生装置において、
前記入力部から入力された前記出力形態を示す情報が２チャンネルを示す情報である場合、前記制御部は、前記第１記録層のステレオエリアから２チャンネルのオーディオ信号を読み取るように前記読取部を制御することを特徴とする光ディスク再生装置。
【請求項４】
請求項１記載の光ディスク再生装置において、
前記入力部から入力された前記出力形態を示す情報が２チャンネルを示す情報である場合、前記制御部は、前記第２記録層に記録された２チャンネルのオーディオ信号を読み取るように前記読取部を制御することを特徴とする光ディスク再生装置。
【請求項５】
請求項１記載の光ディスク再生装置において、
前記入力部から入力された前記出力形態を示す情報が２チャンネルを示す情報である場合、前記制御部は、前記第１記録層のマルチチャンネルエリアからマルチチャンネルのオーディオ信号を読み取るように前記読取部を制御し、当該マルチチャンネルのオーディオ信号を２チャンネルのオーディオ信号にダウンミックスするように前記信号処理部を制御することを特徴とする光ディスク再生装置。
【発明の詳細な説明】
【技術分野】
【０００１】
本発明は、光ディスクに記録されたオーディオ信号を再生する光ディスク再生装置に関する。
【背景技術】
【０００２】
デジタルオーディオ信号が記録された光ディスクとして、CD-DA（Compact Disc-Digital Audio）がある。このCD-DAには、４４．１kHzのサンプリング周波数でサンプリングされた１６ビットのデジタルオーディオ信号が１．６μmのトラックピッチで記録されている。これに対して、サンプリング周波数が２８２２．４kHzであり、デルタシグマ変調された１ビットのデジタルオーディオ信号が０．７４μmのトラックピッチで記録された高記録密度の光ディスクがある。
【０００３】
この高記録密度の光ディスクには、上述した２８２２．４kHzでサンプリングされデルタシグマ変調された１ビットのデジタルオーディオ信号が記録された記録層（以下HD（High Definition）レイヤーという。）と４４．１kHzでサンプリングされた１６ビットのデジタルオーディオ信号が記録された記録層（以下CDレイヤーという。）の２つの記録層を有するハイブリッドレイヤーディスクがある。このハイブリッドレイヤーディスクの他に、１層のHDレイヤーのみを有するシングルレイヤーディスク、２層のHDレイヤーを有するデュアルレイヤーディスクがある。また、高記録密度の光ディスクにおいて、HDレイヤーは、２チャンネルのデジタルオーディオ信号を記録する２チャンネルステレオエリアと、６チャンネルまでのマルチチャンネルのデジタルオーディオ信号を記録するマルチチャンネルエリアを有する。
【０００４】
これらの高記録密度の光ディスクのうちハイブリッドレイヤーディスクは、通常、HDレイヤーの２チャンネルステレオエリアとマルチチャンネルエリア及びCDレイヤーに、同一内容のデジタルオーディオ信号が収録されたトラックが記録されている。
【０００５】
このような光ディスクを再生することができる光ディスク再生装置は、HDレイヤーとCDレイヤーの再生を切り換えることができる（例えば、特許文献１参照）。また、HDレイヤーを再生する場合には、２チャンネルステレオエリアとマルチチャンネルエリアを選択することができる。
【０００６】
通常、マルチチャンネルのオーディオ信号が記録された光ディスクを再生する光ディスク再生装置は、外部機器としてAV（Audio Visual）アンプを接続する。AVアンプは、入力されたオーディオ信号にサラウンド処理等を施し各チャンネルのオーディオ信号に分離する。各チャンネル毎に分離されたオーディオ信号は、アナログ信号に変換された後、AVアンプに接続した複数のスピーカから出力される。
【０００７】
AVアンプには、マルチチャンネルのスピーカシステムとして、左右のフロントスピーカ、センタースピーカ、左右のサラウンドスピーカ及びサブウーハー等の複数のスピーカを接続することができる。また、ユーザによって、接続したスピーカの種類、スピーカの有無、各チャンネルの再生レベル等の設定をすることができる。
【０００８】
【特許文献１】特開平１１−２９６８６１号公報
【発明の開示】
【発明が解決しようとする課題】
【０００９】
ユーザは、マルチチャンネルのスピーカシステム（例えば、５．１ｃｈのスピーカシステム）を用いた聴取環境にする場合、AVアンプにおいて、左右のフロントスピーカ、センタースピーカ、左右のサラウンドスピーカ及びサブウーハーを有りとする設定をし、オーディオ信号の出力形態をマルチチャンネルにする。ここで、ユーザは、高記録密度の光ディスクを再生するとき、光ディスク再生装置において再生するレイヤーをHDレイヤーに切り換える操作をした後、マルチチャンネルエリアの選択をすることにより、AVアンプに接続されたスピーカからサラウンド効果のあるオーディオ信号を聴取することができる。
【００１０】
また、ユーザは、２チャンネルステレオスピーカシステム（左右のフロントスピーカ）を用いた聴取環境を選択する場合がある。この場合、ユーザは、AVアンプにおいて、左右のフロントスピーカを有りとし、その他のスピーカを無しとする設定をし、オーディオ信号の出力形態を２チャンネルにする。ここで、ユーザは、高記録密度の光ディスクを再生するとき、光ディスク再生装置において再生するレイヤーをCDレイヤーに切り換える操作又はHDレイヤーに切り換える操作をした後、２チャンネルステレオエリアの選択をすることにより、AVアンプに接続されたスピーカから２チャンネルステレオのオーディオ信号を聴取することができる。
【００１１】
以上のように、ユーザは、AVアンプに接続した光ディスク再生装置を用いて高記録密度の光ディスクを再生するとき、AVアンプのオーディオ信号の出力形態に応じて、その都度、再生する光ディスクのCDレイヤーとHDレイヤーの切り換え及びHDレイヤーの２チャンネルステレオエリアとマルチチャンネルエリアの選択の操作をしなければならなかった。
【００１２】
本発明は、上記の課題を解決するためになされたものであり、再生する光ディスクのCDレイヤーとHDレイヤーの切り換え及びHDレイヤーの２チャンネルステレオエリアとマルチチャンネルエリアの選択の操作を行うことなしに、AVアンプのオーディオ信号の出力形態に応じて、光ディスクに記録されたマルチチャンネル又は２チャンネルのオーディオ信号を再生することができる光ディスク再生装置を提供することを目的とする。
【課題を解決するための手段】
【００１３】
上記の課題を解決するために、本願の請求項１記載の発明は、２チャンネルのオーディオ信号が記録されたステレオエリア及びマルチチャンネルのオーディオ信号が記録されたマルチチャンネルエリアを有する第１記録層と２チャンネルのオーディオ信号が記録された第２記録層を備え、前記第１記録層に記録されたオーディオ信号を管理する管理情報が前記第１記録層に記録され、前記第２記録層に記録されたオーディオ信号を管理する管理情報が前記第２記録層に記録された光ディスクを再生する光ディスク再生装置において、前記第１記録層又は前記第２記録層に記録されたオーディオ信号と管理情報を読み取る読取部と、前記読取部が読み取ったオーディオ信号に信号処理を施す信号処理部と、前記信号処理部が信号処理を施したオーディオ信号を出力する出力部と、前記出力部と接続した外部機器から当該外部機器のオーディオ信号の出力形態を示す情報を入力する入力部と、前記入力部から入力された前記出力形態を示す情報に応じたオーディオ信号を光ディスクから読み取るように前記読取部を制御する制御部とを備えることを特徴とする。
【００１４】
また、本願の請求項２記載の発明は、請求項１記載の光ディスク再生装置において、前記入力部から入力された前記出力形態を示す情報がマルチチャンネルを示す情報である場合、前記制御部は、前記第１記録層のマルチチャンネルエリアからマルチチャンネルのオーディオ信号を読み取るように前記読取部を制御することを特徴とする。
【００１５】
また、本願の請求項３に記載の発明は、請求項１記載の光ディスク再生装置において、前記入力部から入力された前記出力形態を示す情報が２チャンネルを示す情報である場合、前記制御部は、前記第１記録層のステレオエリアから２チャンネルのオーディオ信号を読み取るように前記読取部を制御することを特徴とする。
【００１６】
また、本願の請求項４に記載の発明は、  請求項１記載の光ディスク再生装置において、前記入力部から入力された前記出力形態を示す情報が２チャンネルを示す情報である場合、前記制御部は、前記第２記録層に記録された２チャンネルのオーディオ信号を読み取るように前記読取部を制御することを特徴とする。
【００１７】
また、本願の請求項５に記載の発明は、請求項１記載の光ディスク再生装置において、前記入力部から入力された前記出力形態を示す情報が２チャンネルを示す情報である場合、前記制御部は、前記第１記録層のマルチチャンネルエリアからマルチチャンネルのオーディオ信号を読み取るように前記読取部を制御し、当該マルチチャンネルのオーディオ信号を２チャンネルのオーディオ信号にダウンミックスするように前記信号処理部を制御することを特徴とする。
【発明の効果】
【００１８】
本発明の光ディスク再生装置によれば、再生する光ディスクのCDレイヤーとHDレイヤーの切り換え及びHDレイヤーの２チャンネルステレオエリアとマルチチャンネルエリアの選択の操作を行うことなしに、AVアンプのオーディオ信号の出力形態に応じて、光ディスクに記録されたマルチチャンネル又は２チャンネルのオーディオ信号を再生することができる光ディスク再生装置を提供することができる。
【発明を実施するための最良の形態】
【００１９】
以下、本発明の実施の形態に基づいて説明する。本発明の一実施例の光ディスク再生装置は、HDレイヤーとCDレイヤーの記録層を有するハイブリッドレイヤーディスク、１層のHDレイヤーのみを有するシングルレイヤーディスク、２層のHDレイヤーを有するデュアルレイヤーディスク、CDやDVD（Digital Versatile Disc）などの光ディスクに記録されたデジタルオーディオ信号を再生することができる光ディスク再生装置である。
【００２０】
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０はデジタルインターフェース（デジタルI/F）、１１は制御部、１２は操作部、１３は表示部を示す。
【００２１】
スピンドルモータ２に固定されたターンテーブル１は、光ディスクを載置する。操作部（図示せず）に備えられた操作ボタンをユーザが操作し再生開始の指示がされると、サーボ制御部３は、スピンドルモータ２を所定の線速度で回転駆動させる制御をする。また、サーボ制御部３は、再生部である光ピックアップ４からのレーザ光が光ディスクのピット列を正しくトレースするように、図示しないフォーカスサーボ回路とトラッキングサーボ回路を制御する。
【００２２】
光ピックアップ４は、図示しないレーザダイオードと対物レンズを備えている。CD又はCDレイヤーに記録されたデジタルオーディオ信号を読み取る場合は、波長７８０nmのレーザ光を使用し、HDレイヤーに記録されたデジタルオーディオ信号を読み取る場合は、波長６５０nmのレーザ光を使用する。また、光ピックアップ４は、CDレイヤー及びHDレイヤーのどちらの記録層にも焦点が合うように対物レンズの開口数を調節することができる。
【００２３】
光ピックアップ４が読み取ったデジタルオーディオ信号は、再生アンプ５により波形整形及び増幅され信号処理部６に入力される。信号処理部６は、CD又はCDレイヤーから読み取ったデジタルオーディオ信号の復調、HDレイヤーから読み取ったデジタルオーディオ信号の復調、フォーカスエラー信号やトラッキングエラー信号等のエラー信号、同期信号の抜き出し等をしてデジタルオーディオ信号をメモリ制御部７に入力する。また、信号処理部６は、制御部１１の制御によりマルチチャンネルのデジタルオーディオ信号を２チャンネルステレオのデジタルオーディオ信号にダウンミックする処理をする。
【００２４】
メモリ制御部７は、入力されたデジタルオーディオ信号をRAM８に入力するよう制御する。RAM８は、入力されたデジタルオーディオ信号を記憶する。RAM８が記憶したデジタルオーディオ信号は、メモリ制御部７の制御により読み出されDAC９に入力される。DAC９は、デジタルオーディオ信号をアナログオーディオ信号に変換する。DAC９により変換されたアナログオーディオ信号は、出力端子から出力される。
【００２５】
また、RAM８から読み出されたデジタルオーディオ信号は、メモリ制御部７の制御によりデジタルI/F１０に入力される。デジタルI/F１０は、HDMI（High-Definition Multimedia Interface）規格に準拠したデジタルインターフェースであり、HDMI端子を備えている。HDMIは、パソコンとモニターの接続に用いられるインターフェースのDVI（Digital Video Interface）を発展させた規格であり、デジタルオーディオ信号、デジタルビデオ信号、制御情報信号の送受信を1本のケーブル（HDMI端子接続ケーブル）で可能とする。
【００２６】
デジタルI/F１０に入力される制御情報信号は、HDMI端子と接続した外部機器に関する情報を示し、外部機器としてAVアンプを接続した場合は、AVアンプのメーカ名、プロダクトコード、シリアル番号、オーディオ信号の出力形態等の情報を表す。入力された制御情報信号は、デジタルI/F１０を介して制御部１１に入力される。
【００２７】
制御部１１は、サーボ制御部３、信号処理部６、メモリ制御部７、デジタルI/F１０、表示部１３を制御する。また、制御部１１は、デジタルI/F１０から入力された制御情報信号を解析する。操作部１２は、再生ボタン、再生停止ボタン、早送りボタン、早戻しボタンを備えている。表示部１３は、現在再生しているトラックの再生時間、トラックナンバー、マルチチャンネルのオーディオ信号を２チャンネルステレオのオーディオ信号にダウンミックスして再生するか否かを示す情報等を表示する。
【００２８】
図２は、本発明の一実施例である光ディスク再生装置とAVアンプの接続を説明する図である。図２において、２１は本実施例の光ディスク再生装置、２２はHDMI対応のAVアンプ、２３はHDMI接続ケーブル、２４はビデオ・オーディオ接続コードを示す。光ディスク再生装置２１は、HDMI接続ケーブル２３によって外部機器としてのAVアンプ２２と接続される。さらに、光ディスク再生装置２１は、ビデオ・オーディオ接続コード２４によってAVアンプ２２と接続される。これは、再生する光ディスクの種類により、光ディスクに記録されたデジタルオーディオ信号を出力できない場合があり、この場合は、デジタルオーディオ信号をアナログオーディ信号に変換して出力するためである。AVアンプ２２には、図示しない複数のスピーカ、モニター等が接続される。
【００２９】
次に、上述した高記録密度の光ディスクに有するHDレイヤーの構造を説明する。
HDレイヤーは、光ディスクの内周から外周に向かってリードインゾーン、信号ゾーン、リードアウトゾーンが形成されている。信号ゾーンは、マスターTOCエリア、オーディオエリア及びエクストラ信号エリアを備える。マスターTOCエリアには、ディスクに関する情報、エリアに関する情報、トラックに関する情報などの管理情報が記録されている。オーディオエリアは、２チャンネルのデジタルオーディオ信号が記録されている２チャンネルステレオエリアと６チャンネルまでのマルチチャンネルのデジタルオーディオ信号が記録されているマルチチャンネルエリアとを備える。
【００３０】
２チャンネルステレオエリアとマルチチャンネルエリアは、デジタルオーディオ信号がトラックナンバー順に記録されるトラックエリアを備え、このトラックエリアの前後にエリアTOCが配置されている。この２つのエリアTOCには、同じ内容の情報が記録される。２チャンネルステレオエリアに配置されたエリアTOCには、トラックエリアに記録される２チャンネルのデジタルオーディオ信号のトラックを管理する情報などが記録されている。また、マルチチャンネルエリアに配置されたエリアTOCには、トラックエリアに記録されるマルチチャンネルのデジタルオーディオ信号のトラックを管理する情報などが記録されている。エクストラ信号エリアは、オーディオ信号以外の信号を記録することができるエリアである。
【００３１】
また、CDレイヤーは、CDの記録層の構造と同一であり、光ディスクの内周から外周に向かってリードインエリア、プログラムエリア、リードアウトエリアが形成されている。プログラムエリアには、２チャンネルのデジタルオーディ信号がトラック単位で記録されている。リードインエリアには、プログラムエリアに記録されたトラックを管理するTOC情報等が記録されている。
【００３２】
上述した高記録密度の光ディスクのHDレイヤーから再生されたデジタルオーディオ信号は、現在、光ディスク再生装置からデジタル信号での出力が禁止されているため、DAC９により変換されたアナログオーディオ信号が出力される。また、高記録密度の光ディスクのCDレイヤーやCD等から再生されたデジタルオーディオ信号は、光ディスク再生装置からデジタル信号での出力が可能であるため、デジタルI/F１０を介してHDMI端子から出力することができる。
【００３３】
図３は、本発明の一実施例の光ディスク再生装置の再生動作を説明するフローチャートである。本実施例の光ディスク再生装置は、図２に示すようにAVアンプと、HDMI接続ケーブル及びビデオ・オーディオ接続コードによって接続されている。
【００３４】
図３に示すフローチャートのステップＳ１は、ユーザが本実施例の光ディスク再生装置に光ディスクを装着するステップである。本実施例において、光ディスク再生装置に装着する光ディスクは、上述した高記録密度の光ディスクとする。
【００３５】
ステップＳ２は、制御部１１がHDレイヤーのマスターTOCエリアに記録された情報を読み取る制御をする。制御部１１は、光ディスクがターンテーブル１に固定されると、サーボ制御部３を制御し光ピックアップ４にHDレイヤーのマスターTOCエリアに記録された情報を読み取らせる制御をする。読み取られたマスターTOCエリアに記録された情報は、制御部１１に内蔵された図示しない記憶部に記憶される。
【００３６】
ステップＳ３は、制御部１１がAVアンプからデジタルI/F１０を介して入力された制御情報信号を解析し、AVアンプのオーディオ信号の出力形態を判別するステップである。オーディオ信号の出力形態がマルチチャンネルを示す場合は、ステップＳ４に進む。オーディオ信号の出力形態が２チャンネルを示す場合は、ステップＳ５に進む。
【００３７】
本実施例では、AVアンプのオーディオ信号の出力形態をマルチチャンネルと２チャンネルとする。AVアンプのオーディオ信号の出力形態がマルチチャンネルになる場合としては、ユーザがオーディオ信号の出力先をスピーカとする設定をした場合、ユーザがスピーカの有無を全スピーカにおいて有りとする設定した場合などがある。
【００３８】
一方、AVアンプのオーディオ信号の出力形態が２チャンネルになる場合としては、ユーザがオーディオ信号の出力先をHDMI対応モニターに備えられたスピーカとする設定をした場合、ユーザが左右のフロントスピーカを有りとし、その他のスピーカを無しとする設定した場合などがある。
【００３９】
ステップＳ４は、制御部１１がHDレイヤーのマルチチャンネルエリアに記録されたデジタルオーディオ信号を再生する制御をするステップである。制御部１１は、HDレイヤーのマルチチャンネルエリアに記録されたデジタルオーディオ信号を再生するようにサーボ制御部３、信号処理部６を制御する。HDレイヤーのマルチチャンネルエリアから再生されたデジタルオーディオ信号は、DAC９によりアナログオーディオ信号に変換された後、出力端子からAVアンプに出力される。ここで、HDレイヤーにマルチチャンネルエリアを有さない場合、制御部１１は、HDレイヤーの２チャンネルステレオエリアに記録されたデジタルオーディオ信号を再生する制御をする。
【００４０】
以上のように、本実施例の光ディスク再生装置は、ステップＳ３においてAVアンプのオーディオ信号の出力形態がマルチチャンネルであると判別した場合、ステップＳ４において、光ディスクのHDレイヤーのマルチチャンネルエリアに記録されたデジタルオーディオ信号の再生を開始する。したがって、本実施例の光ディスク再生装置は、ユーザがAVアンプのオーディオ信号の出力形態に応じて、レイヤーを切り換える操作及びエリアを選択する操作を行わなくても、マルチチャンネルのオーディオ信号を出力することができる。
【００４１】
ステップＳ５は、制御部部１１が装着された光ディスクのHDレイヤーに２チャンネルステレオエリアを有するか否かを判別するステップである。制御部１１は、ステップＳ２において読み取ったマスターTOCエリアに記録された情報から、HDレイヤーの２チャンネルステレオエリアの有無を判別する。HDレイヤーに２チャンネルステレオエリアを有すると判別した場合は、ステップＳ６に進む。HDレイヤーに２チャンネルステレオエリアを有さないと判別した場合は、ステップＳ７に進む。
【００４２】
ステップＳ６は、制御部１１がHDレイヤーの２チャンネルステレオエリアに記録されたデジタルオーディオ信号を再生する制御をするステップである。制御部１１は、HDレイヤーの２チャンネルステレオエリアに記録されたデジタルオーディオ信号を再生するようにサーボ制御部３、信号処理部６を制御する。HDレイヤーの２チャンネルステレオエリアから再生されたデジタルオーディオ信号は、DAC９によりアナログオーディオ信号に変換された後、出力端子からAVアンプに出力される。
【００４３】
以上のように、本実施例の光ディスク再生装置は、ステップＳ３においてAVアンプのオーディオ信号の出力形態が２チャンネルであると判別し、ステップＳ５において再生する光ディスクのHDレイヤーに２チャンネルステレオエリアを有すると判別した場合、ステップＳ６において、当該２チャンネルステレオエリアに記録されたデジタルオーディオ信号の再生を開始する。したがって、本実施例の光ディスク再生装置は、ユーザがAVアンプのオーディオ信号の出力形態に応じて、レイヤーを切り換える操作及びエリアを選択する操作を行わなくても、２チャンネルのオーディオ信号を出力することができる。
【００４４】
ステップＳ７は、制御部１１が装着された光ディスクがCDレイヤーを備えているか否かを判別するステップである。制御部１１は、ステップ２において読み取ったマスターTOCエリアに記録された情報から、装着された光ディスクがCDレイヤーを備えているか否かを判別する。CDレイヤーを備えていると判別した場合は、ステップＳ８に進む。CDレイヤーを備えていないと判別した場合は、ステップＳ９に進む。
【００４５】
ステップＳ８は、制御部１１がCDレイヤーに記録された２チャンネルのデジタルオーディオ信号を再生する制御をするステップである。制御部１１は、CDレイヤーに記録された２チャンネルのデジタルオーディオ信号を再生するようにサーボ制御部３、信号処理部６を制御する。CDレイヤーから再生された２チャンネルのデジタルオーディオ信号は、デジタルI/F１０を介してHDMI端子からAVアンプに出力される。
【００４６】
本実施例の光ディスク再生装置は、ステップＳ３においてAVアンプのオーディオ信号の出力形態が２チャンネルであると判別し、ステップＳ５において再生する光ディスクのHDレイヤーに２チャンネルステレオエリアを有さないと判別し、ステップ７においてCDレイヤーを有すると判別した場合、ステップＳ８において、CDレイヤーに記録された２チャンネルのデジタルオーディオ信号の再生を開始する。したがって、本実施例の光ディスク再生装置は、ユーザがAVアンプのオーディオ信号の出力形態に応じて、レイヤーを切り換える操作及びエリアを選択する操作を行わなくても、２チャンネルのオーディオ信号を出力することができる。
【００４７】
ステップＳ９は、制御部１１がHDレイヤーのマルチチャンネルエリアから再生されたデジタルオーディオ信号を２チャンネルステレオのデジタルオーディオ信号にダウンミックスする制御をするステップである。制御部１１は、HDレイヤーのマルチチャンネルエリアに記録されたデジタルオーディオ信号を再生し、再生したマルチチャンネルのデジタルオーディオ信号を２チャンネルステレオのデジタル信号にダウンミックスするように信号処理部６を制御する。ダウンミックスされたデジタルオーディオ信号は、DAC９によりアナログオーディオ信号に変換された後、出力端子からAVアンプに出力される。
【００４８】
図３に示すフローチャートのステップＳ９において、本実施例の光ディスク再生装置は、マルチチャンネルエリアから再生したマルチチャンネルのデジタルオーディオ信号を２チャンネルステレオのデジタル信号にダウンミックスするので、再生する光ディスクがHDレイヤーに２チャンネルステレオエリア及びCDレイヤーを有さないシングルレイヤーディスクであっても、２チャンネルのオーディオ信号を出力することができる。
【００４９】
上述した本実施例の光ディスク再生装置は、図３に示すフローチャートのステップＳ５において再生する光ディスクのHDレイヤーに２チャンネルステレオエリアを有さないと判別すると、ステップＳ７の処理を行なわずに、ステップＳ９の処理を行なうようにしても良い。この場合、本実施例の光ディスク再生装置は、再生する光ディスクにCDレイヤーを備えているか否かの判別をすることなく、２チャンネルのオーディオ信号を出力することができる。
【図面の簡単な説明】
【００５０】
【図１】本発明の実施例である光ディスク再生装置の構成を示すブロック図。
【図２】本発明の実施例である光ディスク再生装置とAVアンプの接続を説明する図。
【図３】本発明の実施例である光ディスク再生装置の再生動作を説明するフローチャート。
【符号の説明】
【００５１】
１…ターンテーブル、２…スピンドルモータ、３…サーボ制御部、４…光ピックアップ、５…再生アンプ、６…信号処理部、７…メモリ制御部、８…RAM、９…DAC、１０…デジタルI/F、１１…制御部、１２…操作部、１３…表示部、２１…光ディスク再生装置、２２…AVアンプ、２３…HDMI接続ケーブル、２４…ビデオ・オーディオコード
【図１】
2006236422.tif 000003
【図２】
2006236422.tif 000004
【図３】
2006236422.tif 000005